【手続補正書】
【提出日】平成30年8月9日(2018.8.9)
【手続補正１】
【補正対象書類名】特許請求の範囲
【補正対象項目名】全文
【補正方法】変更
【補正の内容】
【特許請求の範囲】
【請求項１】
冷媒を圧縮する圧縮機構（３）と、
前記圧縮機構（３）を駆動する電動モータ（５）と、
前記圧縮機構（３）及び電動モータ（５）が収容された本体ハウジング（７）と、
前記電動モータ（５）の駆動回路（９）が収容され、仕切壁（１２ｄ）によって前記本体ハウジング（７）と仕切られた回路ハウジング（１２ａ）と、
前記本体ハウジング（７）に露出する前記仕切壁（１２ｄ）の一方の面（１２ｉ）側に設けられ、前記本体ハウジング（７）の外部から内部に吸入される冷媒の液相成分が貯留される液溜まり部（１５ａ）と、
前記本体ハウジング（７）の外部から内部に吸入されて前記液溜まり部（１５ａ）に貯留される液相成分が分離された冷媒を前記本体ハウジング（７）の前記電動モータ（５）の収容空間に導く通路（１３ｐ，１５ｂ）と、
前記回路ハウジング（１２ａ）に露出する前記仕切壁（１２ｄ）の他方の面（１２ｅ）のうち、前記液溜まり部（１５ａ）に対向する当接箇所（１２ｈ）に当接された、前記駆動回路（９）の発熱部品（９ｂ，９ｃ）とを備え、
前記液溜まり部（１５ａ）は、吸入ポート（１２ｂ，１３ｎ）から前記本体ハウジング（７）の内部に吸入される冷媒のアキュームレータ（１５）に設けられており、
前記アキュームレータ（１５）は、前記一方の面（１２ｉ）に隣接した第１アキュームレータ室（１５ｃ，１５ａ）と、該第１アキュームレータ室（１５ｃ，１５ａ）と隔壁（１２ｍ，１３ｃ）により区画された第２アキュームレータ室（１５ｄ，７ｂ）とを有する、
電動コンプレッサ（１）。
【請求項２】
前記液溜まり部（１５ａ）は、前記一方の面（１２ｉ）側における前記回路ハウジング（１２ａ）の底部寄りに設けられており、前記発熱部品（９ｂ，９ｃ）は、前記他方の面（１２ｅ）における前記回路ハウジング（１２ａ）の底部寄りに設けられている請求項１記載の電動コンプレッサ（１）。
【請求項３】
前記発熱部品（９ｂ，９ｃ）は複数の素子（９ｃ）を含んでおり、これら複数の素子（９ｃ）は前記回路ハウジング（１２ａ）の底部の外形に沿った形状に並べて配置されている請求項２記載の電動コンプレッサ（１）。
【請求項４】
前記隔壁（１２ｍ，１３ｃ）は、前記アキュームレータ（１５）の底部から立設された区画壁（１２ｍ）である請求項１記載の電動コンプレッサ（１）。
【請求項５】
前記本体ハウジング（７）は、前記液溜まり部（１５ａ）と該液溜まり部（１５ａ）に隣接する前記本体ハウジング（７）の前記電動モータ（５）の収容空間（７ｂ）との間に介設され前記本体ハウジング（７）を仕切る壁部（１３ｃ）を有する請求項４記載の電動コンプレッサ（１）。
【請求項６】
前記壁部（１３ｃ）は、断熱部（１３ｄ）を有する断熱壁（１３ｃ）である請求項５記載の電動コンプレッサ（１）。
【請求項７】
前記液溜まり部（１５ａ）は、前記回路ハウジング（１２ａ）に形成された吸入ポート（１２ｂ）を通過して前記本体ハウジング（７）の外部から内部に吸入された冷媒が貯留される前記第１アキュームレータ室（１５ｃ）によって構成されている請求項４記載の電動コンプレッサ（１）。
【請求項８】
前記隔壁（１２ｍ，１３ｃ）は、前記液溜まり部（１５ａ）と該液溜まり部（１５ａ）に隣接する前記本体ハウジング（７）の前記電動モータ（５）の収容空間（７ｂ）との間に介設され前記本体ハウジング（７）を仕切る壁部（１３ｃ）である請求項１記載の電動コンプレッサ（１）。
【請求項９】
前記壁部（１３ｃ）は、断熱部（１３ｄ）を有する断熱壁（１３ｃ）である請求項８記載の電動コンプレッサ（１）。
【請求項１０】
前記本体ハウジング（７）の外部から内部に吸入される冷媒から液相成分を分離する遠心分離式の気液分離器（１３ｏ）をさらに備え、該気液分離器（１３ｏ）により分離された液相成分が前記液溜まり部（１５ａ）に貯留される請求項１、２、３、４、５、６、７、８又は９記載の電動コンプレッサ（１）。
【請求項１１】
前記液溜まり部（１５ａ）は、該液溜まり部（１５ａ）に隣り合う前記本体ハウジング（７）の前記電動モータ（５）の収容空間との間に介設された壁部（１３ｃ）により該収容空間と仕切られており、前記気液分離器（１３ｏ）は、前記壁部（１３ｃ）の貫通孔（１３ｉ）と連通し該壁部（１３ｃ）から前記液溜まり部（１５ａ）の上方に延出する筒部（１３ｐ）と、前記本体ハウジング（７）の外部から内部に吸入される冷媒を前記筒部（１３ｐ）の外周に導入し該筒部（１３ｐ）の外周に冷媒の旋回流を形成する吸入ポート（１３ｎ）とを有しており、前記筒部（１３ｐ）が前記通路（１３ｐ）を構成している請求項１０記載の電動コンプレッサ（１）。
【請求項１２】
前記通路（１５ｂ）に、前記電動モータ（５）の収容空間（７ｂ）からの冷媒の逆流を阻止する逆止弁（１３ｍ）が設けられている請求項１、２、３、４、５、６、７、８、９、１０又は１１記載の電動コンプレッサ（１）。
【手続補正２】
【補正対象書類名】明細書
【補正対象項目名】０００８
【補正方法】変更
【補正の内容】
【０００８】
上記目的を達成するため、本発明の電動コンプレッサは、
冷媒を圧縮する圧縮機構と、
前記圧縮機構を駆動する電動モータと、
前記圧縮機構及び電動モータが収容された本体ハウジングと、
前記電動モータの駆動回路が収容され、仕切壁によって前記本体ハウジングと仕切られた回路ハウジングと、
前記本体ハウジングに露出する前記仕切壁の一方の面に設けられ、前記本体ハウジングの外部から内部に吸入される冷媒の液相成分が貯留される液溜まり部と、
前記本体ハウジングの外部から内部に吸入されて前記液溜まり部に貯留される液相成分が分離された冷媒を前記本体ハウジングの前記電動モータの収容空間に導く通路と、
前記回路ハウジングに露出する前記仕切壁の他方の面のうち、前記液溜まり部に対向する当接箇所に当接された、前記駆動回路の発熱部品とを備え、
前記液溜まり部は、吸入ポートから前記本体ハウジングの内部に吸入される冷媒のアキュームレータに設けられており、
前記アキュームレータは、前記一方の面に隣接した第１アキュームレータ室と、該第１アキュームレータ室と隔壁により区画された第２アキュームレータ室とを有する。
【手続補正３】
【補正対象書類名】明細書
【補正対象項目名】００１０
【補正方法】変更
【補正の内容】
【００１０】
【図１】本発明の第１実施形態に係る電動コンプレッサの概略構成を示す正断面図である。
【図２】（ａ）は図１のＩ−Ｉ線断面図、（ｂ）は図１のＩＩ−ＩＩ線断面図である。
【図３】図１の第２アキュームレータ室の要部を拡大して示す断面図である。
【図４】図１の変形例に係る電動コンプレッサの概略構成を示す正断面図である。
【図５】図１の他の変形例に係る電動コンプレッサの概略構成を示す正断面図である。
【図６】本発明の参考例に係る電動コンプレッサの概略構成を示す正断面図である。
【図７】図６のＩＩＩ−ＩＩＩ線断面図である。
【図８】本発明の第２実施形態に係る電動コンプレッサの概略構成を示す正断面図である。
【図９】図８のＩＶ−ＩＶ線断面図である。
【手続補正４】
【補正対象書類名】明細書
【補正対象項目名】００５８
【補正方法】変更
【補正の内容】
【００５８】
図６は本発明の参考例に係る電動コンプレッサの概略構成を示す正断面図、図７は図６のＩＩＩ−ＩＩＩ線断面図である。なお、図６においても図１、図４及び図５と同様に、吸入ポート１２ｂとアキュームレータ部１５との連通構造をわかりやすくするために、アキュームレータ部１５の断面部分の上半部のみ、フロントアキュームレータ部１２ｃの中心と吸入ポート１２ｂとを結ぶ切断面における断面を示している。
【手続補正５】
【補正対象書類名】明細書
【補正対象項目名】００５９
【補正方法】変更
【補正の内容】
【００５９】
そして、図６に示す参考例では、インバータ回路９が電解コンデンサ９ｃを複数有しており、それらから、電力用スイッチング素子９ｂが発する熱よりも高温の熱が発生する。
【手続補正６】
【補正対象書類名】明細書
【補正対象項目名】００６０
【補正方法】変更
【補正の内容】
【００６０】
そこで、図６に示す参考例の電動コンプレッサ１では、図７に示すように、インバータケース１１の第１ケース１２の回路収容部１２ａにおける開口１２ｆの円弧状を呈する底部寄りの箇所に、その形状に沿って複数の電解コンデンサ９ｃを円弧状に並べて配置している。
【手続補正７】
【補正対象書類名】明細書
【補正対象項目名】００６１
【補正方法】変更
【補正の内容】
【００６１】
また、本参考例の電動コンプレッサ１では、吸入した冷媒から分離した液相成分（液相の冷媒や冷凍機油Ｏ）によって冷却する複数の電解コンデンサ９ｃを、回路収容部１２ａの底部寄りの箇所に集中して配置したことから、図６に示すように、気液分離器を電動コンプレッサ１に内蔵させない構成としている。
【手続補正８】
【補正対象書類名】明細書
【補正対象項目名】００６２
【補正方法】変更
【補正の内容】
【００６２】
そのため、本参考例の電動コンプレッサ１では、図１、図４、図５を参照して説明した第１実施形態やその変形例の電動コンプレッサ１でインバータケース１１の一部を構成した第２ケース１３を省略し、第１ケース１２のみでインバータケース１１を構成している。したがって、本変形例の電動コンプレッサ１では、ハウジング７の開口７ｃに、第１ケース１２のフロントアキュームレータ部１２ｃの開口１２ｌを取り付けて、吸入室７ｂを塞いでいる。
【手続補正９】
【補正対象書類名】明細書
【補正対象項目名】００６５
【補正方法】変更
【補正の内容】
【００６５】
このように構成された本参考例の電動コンプレッサ１によれば、図１、図４、図５を参照して説明した第１実施形態や他の変形例の電動コンプレッサ１のようなアキュームレータ１５を用いて液溜まり部１５ａに高い液面の液相成分（液相の冷媒や冷凍機油Ｏ）を貯めなくても、インバータ回路９の冷却対象の素子を十分に冷却することができる。